(57)【要約】【課題】電線の取付け面積を小さくできるともに、電線が引っ張られたときでも確実に電線を保持することができる電線支持装置を提供する。【解決手段】電線１０を支持するための電線支持装置１は、電線１０が挿入される貫通孔２ａを有し、かつ円錐台形状の外周面２ｂを有するコーン部材２と、コーン部材２が挿入される支持孔５ａが形成された支持部材５とを備える。支持孔５ａは、コーン部材２の外周面２ｂの最大直径ｄａｍａｘよりも小さい直径ｄｃを有する。コーン部材２には、貫通孔２ａに接続され、該貫通孔２ａの全長に沿って延びるスリット２ｄが形成される。支持部材５には、固定具１７が挿入される少なくとも２つの挿通孔７が形成される。【選択図】図６
2017139832.tif 000002
【特許請求の範囲】
【請求項１】
電線を支持するための電線支持装置であって、
前記電線が挿入される貫通孔を有し、かつ円錐台形状の外周面を有するコーン部材と、
前記コーン部材が挿入される支持孔が形成された支持部材と、を備え、
前記支持孔は、前記コーン部材の外周面の最大直径よりも小さい直径を有し、
前記コーン部材には、前記貫通孔に接続され、該貫通孔の全長にわたって延びるスリットが形成され、
前記支持部材には、固定具が挿入される少なくとも２つの挿通孔が形成されていることを特徴とする電線支持装置。
【請求項２】
前記支持部材は、横断面形状が矩形である立体形状を有し、
前記支持部材の前記挿通孔が形成されていない２つの側面は、互いに平行に延びることを特徴とする請求項１に記載の電線支持装置。
【請求項３】
前記支持孔は、円錐台形状を有しており、前記コーン部材の外周面の最小直径よりも大きい最大直径と、前記コーン部材の外周面の最大直径よりも小さい最小直径とを有することを特徴する請求項１または２に記載の電線支持装置。
【請求項４】
前記コーン部材の長さが前記支持部材の長さよりも長いことを特徴とする請求項１乃至３のいずれか一項に記載の電線支持装置。
【発明の詳細な説明】
【技術分野】
【０００１】
本発明は、電線を支持するための電線支持装置に関し、特に、電線の取付け面積を小さくできるともに、電線が引っ張られたときでも確実に電線を保持することができる電線支持装置に関する。
【背景技術】
【０００２】
従来から、電線を壁面および台座の表面などの固定面に固定するために、固定金具が用いられている。電線は、一般に、電流を流すための金属線の総称であり、金属線を絶縁性材料で被覆した製品も含まれる。このような電線として、例えば、電源から機械などに電力を供給するための電源ケーブル、モータに電力を供給するためのモータケーブル、センサからの出力信号を制御装置などに伝達するためのセンサケーブル、およびデータを送受信するための通信ケーブルなどが挙げられる。
【０００３】
図１０は、従来の固定金具で電線が固定される一例を示す模式図である。２本の電線１１０のうちの一方は、制御盤１１５に電力を供給するための電源ケーブルであり、他方の電線１１０は、制御盤１１５からモータに電力を供給するためのモータケーブルである。これらの電線１１０は、固定金具１０１によって台座１１８に固定され、電線１１０の先端は制御盤１１５内に配置された端子台１２１に接続される。
【０００４】
固定金具１０１は、中央部に湾曲部１０１Ａを有する板体であり、該板体は、ねじ１０４が挿入される挿通孔が形成される端部１０１Ｂを有する。電線１１０を台座１１８に固定するときは、湾曲部１０１Ａを電線１１０に被せた状態で、固定金具１０１を台座１１８に載せる。この状態で、ねじ１０４を固定金具１０１の端部１０１Ｂの挿通孔に挿入し、ねじ１０４を締め付けることで、固定金具１０１を台座１１８に固定する。電線１１０は、固定金具１０１の湾曲部１０１Ａと台座１１８に挟まれることにより、台座１１８に固定される。
【先行技術文献】
【特許文献】
【０００５】
【特許文献１】実開昭４９−０１３３９６号公報
【特許文献２】特開２０１４−２０７７３９号公報
【発明の概要】
【発明が解決しようとする課題】
【０００６】
従来の固定金具１０１は、電線１１０が配置される湾曲部１０１Ａの両側に、ねじ１０４が挿入される挿通孔が形成された端部１０１Ｂを有する。したがって、電線１１０を台座１１８に固定するために必要とされる取付け面積が大きくなってしまう。特に、図１０に示されるように、複数の電線１１０を並列に固定する場合は、隣り合う電線１１０同士を大きく離す必要がある。
【０００７】
さらに、電線１１０は、固定金具１０１と台座１１８に挟まれているだけなので、電線１１０が引っ張られたときに、該電線１１０の端部が接続されている端子台１２１に大きな負荷が掛かることがある。この場合、電線１１０が端子台１２１から外れたり、端子台１２１が壊れたりすることがある。さらに、固定金具１０１によって、電線１１０の絶縁性材料が傷つくことがある。
【０００８】
そこで、本発明は、電線の取付け面積を小さくできるともに、電線が引っ張られたときでも確実に電線を保持することができる電線支持装置を提供することを目的とする。
【課題を解決するための手段】
【０００９】
本発明の一態様は、電線を支持するための電線支持装置であって、前記電線が挿入される貫通孔を有し、かつ円錐台形状の外周面を有するコーン部材と、前記コーン部材が挿入される支持孔が形成された支持部材と、を備え、前記支持孔は、前記コーン部材の外周面の最大直径よりも小さい直径を有し、前記コーン部材には、前記貫通孔に接続され、該貫通孔の全長に沿って延びるスリットが形成され、前記支持部材には、固定具が挿入される少なくとも２つの挿通孔が形成されていることを特徴とする電線支持装置である。
【００１０】
本発明の好ましい態様は、前記支持部材は、横断面形状が矩形である立体形状を有し、前記支持部材の前記挿通孔が形成されていない２つの側面は、互いに平行に延びることを特徴とする。
本発明の好ましい態様は、前記支持孔は、円錐台形状を有しており、前記コーン部材の外周面の最小直径よりも大きい最大直径と、前記コーン部材の外周面の最大直径よりも小さい最小直径とを有することを特徴する。
本発明の好ましい態様は、前記コーン部材の長さが前記支持部材の長さよりも長いことを特徴とする。
【発明の効果】
【００１１】
本発明によれば、固定具が挿入される挿通孔が支持部材に形成されるので、支持部材とは別に固定具を取り付けるための領域を設ける必要がない。したがって、電線の取付け面積を小さくすることができる。さらに、コーン部材にはスリットが形成されているので、電線が引っ張られたときに、電線はコーン部材に強く締め付けられる。これにより、支持部材は、電線に加えられた荷重をコーン部材を介して支持することができるので、電線をコーン部材および支持部材で確実に保持することができる。
【図面の簡単な説明】
【００１２】
【図１】図１（ａ）は、一実施形態に係る電線支持装置の正面図であり、図１（ｂ）は、図１（ａ）のＡ−Ａ線断面図である。
【図２】図２（ａ）は、図１に示される電線支持装置のコーン部材の正面図であり、図２（ｂ）は、図２（ａ）のＢ−Ｂ線断面図である。
【図３】図３（ａ）は、図１に示される電線支持装置の支持部材の正面図であり、図３（ｂ）は、図３（ａ）のＣ−Ｃ線断面図であり、図３（ｃ）は、図３（ａ）のＤ−Ｄ線断面図である。
【図４】図３（ａ）に示される支持部材が固定面に固定された状態を示した断面図である。
【図５】図２（ａ）に示されるコーン部材に電線が挿入された状態を示した断面図である。
【図６】図４に示される支持部材に、図５に示されるコーン部材と電線が支持されている状態を示した断面図である。
【図７】２つの電線支持部材が並列に配置された状態を示した模式図である。
【図８】図７に示される電線支持部材に支持された電線が引っ張られたときの電線支持部材を示した模式図である。
【図９】図９は、他の実施形態に係る電線支持装置を示した断面図である。
【図１０】図１０は、従来の固定金具で電線が固定される一例を示す模式図である。
【発明を実施するための形態】
【００１３】
以下、本発明の実施の形態について、図面を参照して説明する。
図１（ａ）は、一実施形態に係る電線支持装置１の正面図であり、図１（ｂ）は、図１（ａ）のＡ−Ａ線断面図である。図２（ａ）は、図１に示される電線支持装置１のコーン部材２の正面図であり、図２（ｂ）は、図２（ａ）のＢ−Ｂ線断面図である。図３（ａ）は、図１に示される電線支持装置１の支持部材５の正面図であり、図３（ｂ）は、図３（ａ）のＣ−Ｃ線断面図であり、図３（ｃ）は、図３（ａ）のＤ−Ｄ線断面図である。
【００１４】
電線支持装置１は、電線１０が挿入される貫通孔２ａを有するコーン部材２と、コーン部材２を支持する支持部材５とを備える。コーン部材２は、図２（ａ）および図２（ｂ）に示すように、円錐台形状の外周面２ｂを有している。すなわち、コーン部材２の外周面２ｂの直径ｄａは、貫通孔２ａの長さ方向に沿って漸次減少する。
【００１５】
本実施形態では、コーン部材２の貫通孔２ａは、コーン部材２の外周面２ｂと同一の傾斜角度を有する円錐台形状を有している。すなわち、貫通孔２ａの直径ｄｂは、その長さ方向に沿って漸次減少する。貫通孔２ａの最大直径ｄｂｍａｘは、電線１０の直径Ｄ（図１参照）よりも大きく、貫通孔２ａの最小直径ｄｂｍｉｎは、電線１０の直径Ｄ以下である。したがって、電線１０を貫通孔２ａに挿入したときに、電線１０の外周面は、貫通孔２ａの一部に接触する。コーン部材２には、貫通孔２ａに接続され、該貫通孔２ａの全長にわたって延びるスリット２ｄが形成されている。すなわち、スリット２ｄは、コーン部材２の一端２ｅから他端２ｆまで延びる。
【００１６】
図３（ａ）、図３（ｂ）、および図３（ｃ）に示されるように、本実施形態の支持部材５は、該支持部材５の横断面形状が正方形である直方体形状を有している。支持部材５の横断面形状は、長方形であってもよい。あるいは、支持部材５は立方体形状を有していてもよい。すなわち、支持部材５は、横断面形状が矩形である立体形状を有するのが好ましい。支持部材５は、該支持部材５の長手方向に貫通する支持孔５ａを有している。本実施形態では、支持孔５ａは、支持部材５の上面５ｂから底面５ｃまで延びている。この支持孔５ａは、コーン部材２の外周面２ｂと同じ円錐台形状を有している。すなわち、支持孔５ａの直径ｄｃは、支持孔５ａの長さ方向に沿って漸次減少する。支持孔５ａの中心軸線は、好ましくは、支持部材５の重心を通過する。
【００１７】
支持孔５ａの最大直径ｄｃｍａｘは、コーン部材２の外周面２ｂの最小直径ｄａｍｉｎよりも大きい。したがって、コーン部材２を支持孔５ａに挿入することができる。支持孔５ａの最小直径ｄｃｍｉｎは、コーン部材２の外周面２ｂの最大直径ｄａｍａｘよりも小さい。したがって、支持部材５は、支持孔５ａに挿入されたコーン部材２を支持することができる。
【００１８】
支持部材５は、該支持部材５を壁面や台座の表面などの固定面に固定するための固定具（例えば、ねじ、六角ボルトなど）が挿入される少なくとも２つの挿通孔７を有する。これら挿通孔７は、支持孔５ａの中心軸線に沿って配列されている。図３（ｃ）に示されるように、挿通孔７は、支持部材５の正面５ｄから背面５ｅまで延びている。本実施形態の挿通孔７には、固定具の鍔が接触する段差部７ａが形成される。少なくとも２つの挿通孔７に挿入された固定具を用いて支持部材５を固定面に固定することにより、該支持部材５の回転を防止することができる。
【００１９】
さらに、本実施形態の支持部材５は直方体形状を有している。したがって、支持部材５の横断面形状は矩形であり、支持部材５の、挿通孔７が形成されない２つの側面５ｆ，５ｇは、互いに平行に延びている。
【００２０】
次に、電線１０を電線支持装置１に支持させる工程について説明する。図４は、図３（ａ）に示される支持部材５が固定面（壁面など）１４に固定された状態を示した断面図であり、図５は、図２（ａ）に示されるコーン部材２に電線１０が挿入された状態を示した断面図であり、図６は、図４に示される支持部材５に、図５に示されるコーン部材２と電線１０が支持されている状態を示した断面図である。
【００２１】
図４に示されるように、最初に、支持部材５がねじ（固定具）１７によって固定面１４に固定される。固定面１４に形成されたねじ孔（図示せず）にねじ１７を螺合することによって、支持部材５が固定面１４に固定される。ねじ１７は、該ねじ１７の鍔が段差部７ａに接触するまで、固定面１４にねじ込まれる。
【００２２】
次に、電線１０が支持部材５の支持孔５ａに下から挿入され、さらに、図５に示されるように、コーン部材２の貫通孔２ａに電線１０が挿入される。なお、電線１０を支持孔５ａに挿入する前に、電線１０をコーン部材２の貫通孔２ａに挿入してもよい。貫通孔２ａの最小直径ｄｂｍｉｎ（図２（ａ）参照）は、電線１０の直径Ｄ以下であるため、電線１０を貫通孔２ａに挿入したときに、電線１０の外周面が貫通孔２ａの一部に接触するとともに、わずかにスリット２ｄ（図２（ａ）参照）の幅が広がる。
【００２３】
次に、図６に示されるように、電線１０が挿入されたコーン部材２を、支持部材５の支持孔５ａに挿入する。支持孔５ａの最大直径ｄｃｍａｘは、コーン部材２の外周面２ｂの最小直径ｄａｍｉｎよりも大きいので、電線１０が挿入されたコーン部材２を支持部材５の支持孔５ａに挿入することができる。一方で、支持孔５ａの最小直径ｄｃｍｉｎは、コーン部材２の外周面２ｂの最大直径ｄａｍａｘよりも小さいので、支持部材５は、支持孔５ａに挿入されたコーン部材２を支持することができる。その結果、支持部材５は、電線１０をコーン部材２を介して支持することができる。なお、本実施形態では、コーン部材２の外周面２ｂの最大直径ｄａｍａｘは、支持孔５ａの最大直径ｄｃｍａｘと同一である。
【００２４】
本実施形態の電線支持部材１によれば、固定具１７が挿入される挿通孔７が支持部材５に形成されるので、支持部材５とは別に固定具１７を取り付けるための領域を設ける必要がない。特に、挿通孔７は、支持孔５ａの中心軸線に沿って並んでいるので、支持部材５の幅が電線１０の取付け幅となる。したがって、電線１０の取付け面積を小さくすることができる。
【００２５】
図７は、２つの電線支持部材１が並列に配置された模式図である。図７では、並列に配置された２本の電線１０の先端が制御盤１５内に設けられた端子台２１に接続されている。図７に示されるように、支持部材５の、挿通孔７が形成されていない２つの側面５ｆ，５ｇは、互いに平行に延びているので、複数の電線支持部材１を隙間なく並べることができる。したがって、本実施形態の電線支持部材１によれば、複数の電線１０を小さな取付け面積で並列に配置することができる。
【００２６】
図８は、図７に示される電線支持部材１に支持された電線１０が下方に引っ張られたときの電線支持部材１を示した模式図である。図８に示されるように、電線１０が引っ張られると、電線１０の外周面に接触しているコーン部材２も引っ張られる。コーン部材２の外周面２ｂは円錐台形状を有しているので、引っ張られたコーン部材２のスリット２ｄの幅が狭まることにより、コーン部材２が円周方向に縮まる。すなわち、電線１０が引っ張られたときに、電線１０は、コーン部材２に強く締め付けられる。これにより、支持部材５は、電線１０に加えられた荷重を支持することができるので、電線１０を電線支持装置１で確実に保持することができる。その結果、電線１０の先端が接続された端子台２１が破損すること、および端子台２１から電線１０が外れることを防止することができる。
【００２７】
コーン部材２は、支持部材５と同じ硬さを有する材料か、または支持部材５よりも硬い材料から構成されてもよいが、電線１０が引っ張られたときに、コーン部材２が電線１０を強く締め付けることができるように、コーン部材２は、支持部材５よりも柔らかい材料から構成されるのが好ましい。例えば、コーン部材２は、ゴム、樹脂、および金属などから構成される。ステンレス鋼からなるコーン部材２を用いてもよい。この場合、支持部材５は、ステンレス鋼よりも硬い金属から構成されるのが好ましい。支持部材５がコーン部材２よりも硬い材料から構成されると、コーン部材２よりも柔らかい材料から構成される支持部材５と比較して、支持部材５の大きさを小さくしやすい。この理由は、支持部材５の大きさが小さくても、支持部材５が電線１０およびコーン部材２の支持するために充分な強度を確保できるからである。したがって、コーン部材２よりも硬い材料から構成される支持部材５を有する電線支持装置１を使用することによって、電線１０の取付け面積をさらに小さくすることができる。
【００２８】
本実施形態のコーン部材２はスリット２ｄを有するので、図示した電線１０とは異なる直径を有する電線をコーン部材２の貫通孔２ａに挿入することができる。電線１０が引っ張られたときに、電線１０は、該電線１０の円周方向において均等にコーン部材２に支持されるので、電線１０の金属線を被覆している絶縁性材料が傷つくことが防止される。
【００２９】
コーン部材２の長さは、支持部材５の長さよりも短くてもよいが、本実施形態のコーン部材２の長さは、支持部材５の長さよりも長い。したがって、電線１０が挿入されたコーン部材２を支持部材５の支持孔５ａに挿入すると、図６に示されるように、コーン部材２の一部が支持部材５の底面５ｃから突出する。コーン部材２の突出部分を支持部材５の上面５ｂに向かって押すことで、電線１０およびコーン部材２を容易に支持部材５から取り外すことができる。
【００３０】
図９は、他の実施形態に係る電線支持装置１を示した断面図である。図９に示される電線支持装置１の支持部材５の支持孔５ａは、支持部材５の上面５ｂから底面５ｃまで延びる円筒形状を有する。すなわち、支持孔５ａの直径ｄｅは、支持部材５の上面５ｂから底面５ｃまで同一である。図９に示される実施形態に係る電線支持装置１の構成は、支持孔５ａ以外は、図１乃至図８を参照して説明された、上述の実施形態の構成と同一であるため、その重複する説明を省略する。
【００３１】
本実施形態の支持部材５は、支持孔５ａの加工が容易であるという利点を有する。例えば、ドリルなどの切削工具だけを用いて、支持孔５ａを支持部材５に容易に形成することができる。
【００３２】
支持部材５に形成された支持孔５ａの直径ｄｅは、コーン部材２の外周面２ｂの最小直径ｄａｍｉｎよりも大きい。したがって、コーン部材２を支持孔５ａに挿入することができる。支持孔５ａの直径ｄｅは、コーン部材２の外周面２ｂの最大直径ｄａｍａｘよりも小さい。したがって、支持部材５は、支持孔５ａに挿入されたコーン部材２を支持することができる。
【００３３】
本実施形態の電線支持部材１も、上述の実施形態と同様に、固定具１７が挿入される挿通孔７が支持部材５に形成されるので、電線１０の取付け面積を小さくすることができる。さらに、複数の電線１０を小さな取付け面積で並列に配置することができる。さらに、本実施形態においても、電線１０が下方に引っ張られたときに、電線１０は、コーン部材２に強く締め付けられるので、支持部材５は、コーン部材２を介して電線１０を確実に保持することができる。
【００３４】
上述した実施形態は、本発明が属する技術分野における通常の知識を有する者が本発明を実施できることを目的として記載されたものである。上記実施形態の種々の変形例は、当業者であれば当然になしうることであり、本発明の技術的思想は他の実施形態にも適用しうる。したがって、本発明は、記載された実施形態に限定されることはなく、特許請求の範囲によって定義される技術的思想に従った最も広い範囲とすべきである。
【符号の説明】
【００３５】
１    電線支持装置
２    コーン部材
２ａ  挿通孔
２ｄ  スリット
５    支持部材
５ａ  支持孔
７    通孔
１０    電線
１４    固定面
１５    制御盤
１７    固定具
【図１】
2017139832.tif 000003
【図２】
2017139832.tif 000004
【図３】
2017139832.tif 000005
【図４】
2017139832.tif 000006
【図５】
2017139832.tif 000007
【図６】
2017139832.tif 000008
【図７】
2017139832.tif 000009
【図８】
2017139832.tif 000010
【図９】
2017139832.tif 000011
【図１０】
2017139832.tif 000012